(57)【要約】【課題】送信対象信号の直交変調処理に起因するイメージ信号が、電力増幅前の送信信号に混入した場合において、電力増幅後の送信信号に相互変調歪を生じにくくすること。【解決手段】  周波数領域における送信対象信号を時間領域の信号に変換する変換部（１３）と、時間領域の信号を直交変調する直交変調部（１７〜２０）と、送信帯域の中心に対して送信対象信号と対称な周波数成分を有するイメージ信号を時間領域の信号に変換し、直交変換することで、リークイメージ相殺信号を生成する相殺信号生成部（１３（２）〜２０（２））と、直交変調部の出力信号における前記イメージ信号の周波数成分を監視し、周波数成分を相殺するようにリークイメージ相殺信号の振幅及び位相を調整する調整部（２５，２６，２７）と、直交変調部の出力信号と、リークイメージ相殺信号とを合成し、合成後の信号を電力増幅部に与える合成部（２０（３））とを有する。【選択図】図３
2011238994.tif 000002
【特許請求の範囲】
【請求項１】
周波数領域における送信対象信号を時間領域の信号に変換する変換部と、
前記時間領域の信号を直交変調する直交変調部と、
送信帯域の中心に対して前記送信対象信号と対称な周波数成分を有するイメージ信号を導出し、該イメージ信号を時間領域の信号に変換し、該時間領域の信号を直交変換することで、リークイメージ相殺信号を生成する相殺信号生成部と、
前記直交変調部の出力信号における前記イメージ信号の周波数成分を監視し、該周波数成分を相殺するように前記リークイメージ相殺信号の振幅及び位相を調整する調整部と、
前記直交変調部の出力信号と、前記リークイメージ相殺信号とを合成し、合成後の信号を電力増幅部に与える合成部と
を有する、無線通信システムにおけるユーザ装置。
【請求項２】
前記変換部は、
送信する信号を表すデータフレームを離散フーリエ変換又は高速フーリエ変換するフーリエ変換部と、
フーリエ変換後の信号を、無線基地局から通知された周波数リソースにマッピングすることで、前記周波数領域における送信対象信号を生成するマッピング部と、
マッピング後の信号を逆高速フーリエ変換することで、前記時間領域の信号を生成する高速逆フーリエ変換部と
を有する請求項１記載のユーザ装置。
【請求項３】
前記調整部は、前記直交変調部の出力信号における前記イメージ信号の周波数成分を監視することに加えて、前記合成部の出力信号における前記イメージ信号の周波数成分も監視し、双方の周波数成分を相殺するように前記リークイメージ相殺信号の振幅及び位相を調整する、請求項１又は２に記載のユーザ装置。
【請求項４】
前記調整部は、前記直交変調部の出力信号中にリークしたキャリア信号の周波数成分も監視し、該リークしたキャリア信号を相殺するように調整された振幅及び位相を有するリークキャリア相殺信号を生成し、
前記合成部は、前記直交変調部の出力信号と、前記リークイメージ相殺信号と、前記リークキャリア相殺信号を合成し、合成後の信号を電力増幅部に与える、請求項１ないし３の何れか１項に記載のユーザ装置。
【請求項５】
無線通信システムのユーザ装置における方法であって、
周波数領域における送信対象信号を時間領域の信号に変換するステップと、
前記時間領域の信号を直交変調部により直交変調するステップと、
送信帯域の中心に対して前記送信対象信号と対称な周波数成分を有するイメージ信号を導出し、該イメージ信号を時間領域の信号に変換し、該時間領域の信号を直交変換することで、リークイメージ相殺信号を生成するステップと、
前記直交変調部の出力信号における前記イメージ信号の周波数成分を監視し、該周波数成分を相殺するように前記リークイメージ相殺信号の振幅及び位相を調整する調整部と、
前記直交変調部の出力信号と、前記リークイメージ相殺信号とを合成し、合成後の信号を電力増幅部に与えるステップと
を有する方法。
【発明の詳細な説明】
【技術分野】
【０００１】
開示される発明は、無線通信システムにおけるユーザ装置及び方法に関連する。
【背景技術】
【０００２】
携帯電話等の移動通信システムにおいて、広帯域化やマルチパス（Multi−path）環境への適応性を高くする等の観点から、直交周波数分割多重（OFDM）方式や、シングルキャリア周波数分割多重アクセス（SC−FDMA）方式が広く用いられつつある。例えば、ロングタームエボリューション（LTE）方式の移動通信システムでは、下りリンクにおいてOFDM方式が使用され、上りリンクにおいてSC−FDMA方式が使用されている（この点については、例えば非特許文献１参照。）。
【先行技術文献】
【非特許文献】
【０００３】
【非特許文献１】3GPP  TS36．211  V8．9．0（2009−12）、Section  5（上りリンク）、Section  6（下りリンク）
【発明の概要】
【発明が解決しようとする課題】
【０００４】
しかし、これらの技術を用いるには、以下に示すような問題が懸念される。これらの方式は、送信するフレーム（Frame）を高速フーリエ変換（FFT）又は離散フーリエ変換（DFT）することで周波数信号に変換し、その周波数信号を、送信するサブキャリア（sub−carrier）にマッピング（Mapping）し、マッピング後の信号を逆高速フーリエ変換（IFFT）することで時間領域に再変換し、送信信号を生成する。必要なサブキャリアの数は、送信するデータ量に応じて異なり、データ量が少ない場合には少ない数のサブキャリアが割り当てられ、データ量が多い場合は多い数のサブキャリアが割り当てられる。このように生成されたサブキャリアは、直交変調及び電力増幅の処理を経て無線送信される。
【０００５】
ところで、直交変調器は、I成分及びQ成分に関し、何らかの不整合性（IQ不整合）を有する場合がある。例えば、I信号及びQ信号間の位相差が90度からずれていた場合や、I信号及びQ信号間で振幅に差分が生じている場合等が考えられる。このようなIQ不整合を有する直交変調器の出力信号は、送信に必要なサブキャリアである送信対象成分だけでなく、送信には不要なリークイメージ（Image  Leakage）信号も含む。リークイメージ信号の周波数は、送信帯域の中心に関して送信対象信号と対称な周波数である。また、直交変調器のローカル信号発振器からリークしたキャリア信号が、直交変調器の出力信号に混入してしまうこともある。送信対象信号だけでなく、リークイメージ信号やキャリア信号のような不要な信号をも含む信号が、電力増幅器（PA：Power  Amplifier）に入力されると、電力増幅器の出力信号は、送信対象信号、リークイメージ信号及び／又はキャリア信号に加えて、これらの信号による相互変調歪（IM：Inter−Modulation）成分をも含むことになる。これは、他システムに大きな干渉を与えてしまうことになる。
【０００６】
開示される発明の課題は、送信対象信号の直交変調処理に起因するイメージ信号が、電力増幅前の送信信号に混入した場合において、電力増幅後の送信信号における相互変調歪を生じにくくすることである。
【課題を解決するための手段】
【０００７】
開示される発明の一形態によるユーザ装置は、
周波数領域における送信対象信号を時間領域の信号に変換する変換部と、
前記時間領域の信号を直交変調する直交変調部と、
送信帯域の中心に対して前記送信対象信号と対称な周波数成分を有するイメージ信号を導出し、該イメージ信号を時間領域の信号に変換し、該時間領域の信号を直交変換することで、リークイメージ相殺信号を生成する相殺信号生成部と、
前記直交変調部の出力信号における前記イメージ信号の周波数成分を監視し、該周波数成分を相殺するように前記リークイメージ相殺信号の振幅及び位相を調整する調整部と、
前記直交変調部の出力信号と、前記リークイメージ相殺信号とを合成し、合成後の信号を電力増幅部に与える合成部と
を有する、無線通信システムにおけるユーザ装置である。
【発明の効果】
【０００８】
開示される発明によれば、送信対象信号の直交変調処理に起因するイメージ信号が、電力増幅前の送信信号に混入した場合において、電力増幅後の送信信号における相互変調歪を生じにくくすることができる。
【図面の簡単な説明】
【０００９】
【図１】ユーザ装置の概略図。
【図２Ａ】電力増幅器の入力信号を示す図。
【図２Ｂ】電力増幅器の出力信号を示す図。
【図３】一実施例によるユーザ装置を示す図。
【図４】リークイメージ信号を削減するための方法例を示す。
【図５】合成後の出力もモニタする第１変形例を示す図。
【図６】リークキャリア信号も削減する第２変形例を示す図。
【発明を実施するための形態】
【００１０】
（Ａ）開示される発明の一形態によるユーザ装置は、
周波数領域における送信対象信号を時間領域の信号に変換する変換部（１３）と、
前記時間領域の信号を直交変調する直交変調部（１７、１８、１９、２０）と、
送信帯域の中心（fc）に対して前記送信対象信号（fs）と対称な周波数成分（fi）を有するイメージ信号を導出し、該イメージ信号を時間領域の信号に変換し、該時間領域の信号を直交変換することで、リークイメージ相殺信号を生成する相殺信号生成部（１３（２）、１８（２）、１９（２）、２０（２））と、
前記直交変調部の出力信号における前記イメージ信号の周波数成分を監視し、該周波数成分を相殺するように前記リークイメージ相殺信号の振幅及び位相を調整する調整部（２５、２６、２７）と、
前記直交変調部の出力信号と、前記リークイメージ相殺信号とを合成し、合成後の信号を電力増幅部に与える合成部（２０（３））と
を有する、無線通信システムにおけるユーザ装置である。
【００１１】
（Ｂ）前記変換部は、
送信する信号を表すデータフレームを離散フーリエ変換又は高速フーリエ変換するフーリエ変換部（１１）と、
フーリエ変換後の信号を、無線基地局から通知された周波数リソースにマッピングすることで、前記周波数領域における送信対象信号を生成するマッピング部（１２）と、
マッピング後の信号を逆高速フーリエ変換することで、前記時間領域の信号を生成する高速逆フーリエ変換部（１３）と
を有していてもよい。
【００１２】
（Ｃ）前記調整部は、前記直交変調部の出力信号（２０）における前記イメージ信号の周波数成分を監視することに加えて、前記合成部（２０（３））の出力信号における前記イメージ信号の周波数成分も監視し、双方の周波数成分を相殺するように前記リークイメージ相殺信号の振幅及び位相を調整してもよい。
【００１３】
（Ｄ）前記調整部は、前記直交変調部の出力信号中にリークしたキャリア信号の周波数成分も監視し、該リークしたキャリア信号を相殺するように調整された振幅及び位相を有するリークキャリア相殺信号を生成し（２８、２９、３０）、
前記合成部（２０（３））は、前記直交変調部の出力信号と、前記リークイメージ相殺信号と、前記リークキャリア相殺信号を合成し、合成後の信号を電力増幅部に与えてもよい。
【００１４】
以下の観点から実施例を説明する。
【００１５】
１．リークイメージ信号
２．リークイメージ信号の削減
３．動作例
４．第１変形例
５．第２変形例
６．要約
【実施例１】
【００１６】
＜１．リークイメージ信号＞
以下、移動通信端末におけるリークイメージ信号の削減方法について図面を参照しながら説明する。なお、可能な場合には、同一の部分には同一の符号を付して、重複する説明を省略する。まず、SC−FDMA方式における一般的な移動通信用端末において、リークイメージ（Image  leakage）信号が生じてしまうことについて説明する。
【００１７】
図１は移動通信用端末の概略図である。開示される発明は、移動通信端末に限らず、適切な如何なるユーザ装置に使用されてもよい。ユーザ装置は、移動端末でもよいし、固定端末でもよい。具体的には、ユーザ装置は、携帯電話、情報端末、パーソナルディジタルアシスタント（PDA）、携帯用パーソナルコンピュータ等であるが、これらに限定されない。
【００１８】
図１において、１はベースバンド信号生成器（BB）を示し、２は直交変調器を示し、３は無線信号を処理する無線（RF）回路を示し、４は送受信アンテナを示し、５は直交復調器を示す。
【００１９】
ベースバンド信号生成器（BB）１において、１１はDFT演算器を示し、１２はサブキャリアを周波数領域に配置するサブキャリアマッピング部を示し、１３はマッピングされたサブキャリアを時間領域に変換するIFFT演算器を示し、１４はサイクリックプレフィックス（CP：Cyclic  Prefix）又はガードインターバルを付加するCP付加部を示す。１５はディジタル信号をアナログ信号に変換するD／A変換器を示す。
【００２０】
直交変調器２及び直交復調器５において、１６は高調波を削除する低域通過フィルタ（LPF）を示し、１７は送信周波数を生成するローカル信号発振器を示し、１８はIQ信号の位相差を生成する位相変換器を示し、１９はBB信号とローカル信号発信器の信号を合成して周波数変換を行うミキサを示し、２０はIQ信号を合波して送信信号を生成する合波回路を示す。
【００２１】
無線（RF）回路３において、２１は生成された送信信号を所望の送信電力に増幅する信号増幅器（PA）を示し、２２は送受信アンテナを送信・受信で共通に使うための送受共用機又はデュプレクサ（DUP）を示し、２３は受信信号を増幅する低雑音増幅器（LNA）を示す。２４はアナログ信号をディジタル信号に変換するA／D変換器を示す。
【００２２】
なお、移動通信端末の構成上、アイソレータやアンテナスイッチ等が含まれる場合もあるが、説明の簡易化のために省略する。
【００２３】
移動通信端末が送信することを希望する音声やデータ情報等は、ベースバンド信号生成器（BB）１において、データフレーム（Data  Frame）に分割され、DFT演算器１１により離散フーリエ変換される。これにより周波数スペクトラムが生成される。本説明ではDFT演算を用いるSC−FDMA方式を想定しているが、このことは必須ではなく、例えばFFT演算を用いるOFDM方式が使用されてもよい。この周波数スペクトラムの1つをサブキャリアとして、基地局（eNB）からの指示に従い、サブキャリアマッピング部１２により、使用可能な周波数に配置される。使用可能な周波数は、具体的には基地局から通知されたリソースブロック（RB：Resource  Block）の周波数である。この信号はIFFT演算器１３において時間波形に変換され、CP付加部１４により所定のガードタイムが挿入され、送信するシンボルが生成される。このシンボルを含む信号はD／A変換器１５によりアナログ信号に変換される。変換後の信号は、直交変調器２において、I信号及びQ信号となり、LPF１６により高調波が除去される。I信号は、ローカル信号発振器１７の信号（キャリア周波数信号）とミキサ１９により合成され、Q信号は、ローカル信号発振器１７の信号を位相変換器１８により90度ずらした信号とミキサ１９により合成され、送信周波数に周波数変換される。I信号及びQ信号は合波回路２０により合成され、電力増幅器（PA）２１により所望の電力レベルに増幅され、デュプレクサ（DUP）２２を介して送受信アンテナ４から送信される。
【００２４】
図２Ａは電力増幅器（PA）２１の入力信号を模式的に示す。図２Ｂは電力増幅器（PA）２１の出力信号を模式的に示す。送信対象の信号（送信対象信号）は、図２Ａに示すような送信帯域内の何れかの場所に、データ量に応じた幅で配置される。図示の例では、送信帯域の高周波側に送信対象信号が配置されているが、このことは必須でない。リークイメージ（Image  Leakage）信号は、位相変換器１８の位相が90度からずれていた場合や、I信号とQ信号で振幅に差が生じていた等の場合に発生する。リークイメージ信号は、送信対象信号をキャリア周波数（fc）で折り返した位置（fi）に現れる。このような送信対象信号とリークイメージ信号とが電力増幅器（PA）２１に入力されると、電力増幅器（PA）２１の出力信号は、図２Ｂに示すような相互変調歪成分を含んでしまう。図示の例では、送信対象信号の周波数fs及びリークイメージ信号の周波数fiに起因して、3次の相互変調歪（IM3）が、2fi−fs及び2fs−fiの周波数位置に生じてしまう。同様に、5次の相互変調歪成分も3fi−2fs及び3fs−2fiの周波数位置に生じ、7次その他の高次の相互変調歪成分も生じる（図示の簡明化のため、5次以上の相互変調歪成分は図示されていない。）。多くの場合、相互変調歪成分IM3、IM5、IM7...は、送信帯域外に発生し、場合によっては他システムの周波数帯に発生し、深刻な干渉を他システムに与えてしまうことが懸念される。相互変調歪成分が送信帯域内で発生した場合は、リークイメージ信号による干渉に加えて、自システムにおける干渉を増やすことになるので、自システムにおけるスループットを劣化させてしまうことが懸念される。
【００２５】
＜２．リークイメージ信号の削減＞
図３は、リークイメージ信号を削減する本実施例による移動通信端末を示す。移動通信端末は、図１の説明で登場した要素に加えて、IFFT演算器１３（２）、CP付加部１４（２）、ディジタルアナログ（D／A）変換器１５（２）、低域通過フィルタ（LPF）１６（２）、位相変換器１８（２）、ミキサ１９（２）、合波回路２０（２）、イメージ検出部２５、イメージ制御部２６、位相・振幅制御部２７及び合波回路２０（３）をさらに有する。
【００２６】
図１の移動通信端末の場合と同様に、送信することを希望する音声やデータ情報等は、ベースバンド信号生成器（BB）１において、データフレーム（Data  Frame）に分割され、DFT演算器１１により離散フーリエ変換される。これにより周波数スペクトラムが生成される。この周波数スペクトラムの1つをサブキャリアとして、基地局（eNB）からの指示に従い、サブキャリアマッピング部１２により、使用可能な周波数に配置される。使用可能な周波数は、具体的には基地局から通知されたリソースブロック（RB：Resource  Block）の周波数である。この信号はIFFT演算器１３において時間波形に変換され、CP付加部１４により所定のガードタイムが挿入され、送信するシンボルが生成される。このシンボルを含む信号はD／A変換器１５によりアナログ信号に変換される。変換後の信号は、直交変調器２において、I信号及びQ信号となり、LPF１６により高調波が除去される。I信号は、ローカル信号発振器１７の信号（キャリア周波数信号）とミキサ１９により合成され、Q信号は、ローカル信号発振器１７の信号を位相変換器１８により90度ずらした信号とミキサ１９により合成され、送信周波数に周波数変換される。I信号及びQ信号は合波回路２０により合成される。合成された信号は、合波回路２０（３）により、後述のリークイメージ削除用信号と合成され、電力増幅器（PA）２１に入力される。その後、電力増幅器（PA）２１により電力レベルに増幅され、デュプレクサ（DUP）を介して送受信アンテナから送信される。
【００２７】
図３に示す例では、サブキャリアマッピング部１２が、リークイメージ削除用サブキャリアを生成する。リークイメージ削除用サブキャリアの周波数は、サブキャリアマッピング部１２が送信対象信号をマッピングした周波数に対して、送信帯域中心に関して対称な周波数である。リークイメージ削除用サブキャリアは、送信対象信号と同様にIFFT演算器１３（２）において時間波形に変換され、CP付加部１４（２）により所定のガードタイムが挿入される。この信号はD／A変換器１５（２）においてアナログ信号に変換され、直交変調におけるI信号及びQ信号として、低域通過フィルタ１６（２）により高調波が除去される。I信号は、ローカル信号発振器１７の信号とミキサ１９（２）により合成され、Q信号は、ローカル信号発振器１７の信号を位相変換器１８（２）により90度ずらした信号とミキサ１９（２）により合成され、送信周波数に周波数変換される。これらのI信号及びQ信号は合波回路２０（2）で合成され、これによりリークイメージ削除用信号が生成される。
【００２８】
合波回路２０で合成された送信信号は、イメージ検出部２５において監視される。イメージ検出部は、合波回路の出力信号において、リークイメージ信号がどの程度の電力レベルであるかを検出する。リークイメージ信号についての情報（周波数等）は、イメージ制御部２６から通知される。イメージ制御部２６は、リークイメージ信号についての情報をサブキャリアマッピング部１２から取得している。イメージ検出部２５が検出した電力レベルの情報は、イメージ制御部２６に送られる。イメージ制御部２６は、イメージ検出部２５からのリークイメージ信号の情報に基づいて、位相・振幅制御部２７に制御信号を送る。この制御信号により、合波回路２０（２）から出力されたリークイメージ削除用信号の振幅及び位相は、リークイメージ信号を相殺するように調整される。すなわち、リークイメージ信号の電力と同じ電力をもたらす振幅、及び逆相となる位相に調整される。合波回路２０（３）は、送信対象信号及びリークイメージ信号を含む信号と、リークイメージ削除用信号とを合成する。リークイメージ信号及びリークキャリア削除用信号は互いに打ち消し合う。したがって、合波回路２０（３）からの出力信号は、リークイメージ信号が十分に抑制された信号になる。その結果、電力増幅器（PA）２１に入力される信号は、リークイメージ信号を含まない又はほとんど含まないので、増幅後の信号が、大きな相互変調歪成分を生じるおそれは実質的になくなる。
【００２９】
上記の発明原理は、如何なる送信対象信号について適用されてもよいし、何らかの基準で選別された信号に限定して適用されてもよい。例えば、周波数領域にマッピングされたサブキャリア数が少ない場合に本発明原理を適用し、サブキャリア数が多い場合は本発明原理を適用しなくてもよい。周波数領域にマッピングされたサブキャリア数の多少に応じて、相互変調歪成分が発生する程度も異なるからである。
【００３０】
図３の例では、サブキャリアマッピング部１２が、リークイメージ削除用サブキャリアを生成しているが、サブキャリアマッピング部からの出力信号を分岐し、送信帯域中心で周波数を反転させてIFFT演算器１３（２）に入力してもよい。
【００３１】
図３では説明の便宜上、IFFT演算器１３、CP付加部１４、ローカル信号発振器１７等を別々に分けて記載しているが、これらの処理要素は１つにまとめられてもよい。
【００３２】
＜３．動作例＞
図４は、リークイメージ信号を削減するための方法例を示す。本方法は図３に示されるような移動通信端末（より一般的には、ユーザ装置）において使用される。ステップS1において、送信する対象の送信対象信号がDFT又はFFTにより周波数領域の信号に変換される。
【００３３】
ステップS2において、周波数領域の送信対象信号が、基地局から通知された周波数にマッピングされ、IFFTにより時間領域の信号に変換される。時間領域の信号に対して、直交変調が行われる。
【００３４】
ステップS3において、リークイメージ削除用サブキャリアが生成される。リークイメージ削除用サブキャリアは、送信対象信号と帯域中心に関して対称な周波数成分を有する。リークイメージ削除用サブキャリアは、IFFTにより時間領域の信号に変換される。時間領域の信号に対して、直交変調が行われ、これによりリークイメージ削除用信号が生成される。
【００３５】
説明の便宜上、ステップS2の後にステップS3が行われているが、このことは必須でなく、ステップS2及びS3の処理の全部又は一部が同時に行われてもよい。
【００３６】
ステップS4では、リークイメージ削除用信号の振幅及び位相が、リークイメージ信号と同じ電力をもたらす振幅及び逆相となる位相に調整される。リークイメージ信号の振幅及び位相は、ステップS2の直交変調後の信号を監視することで特定される。
【００３７】
ステップS5において、ステップS2の直交変調後の信号（送信対象信号及びリークイメージ信号を含む）と、リークイメージ削除用信号とが合成される。リークイメージ信号及びリークイメージ削除用信号は互いに打ち消し合い、その結果、送信対象信号が残る。この送信対象信号は電力増幅器（PA）２１により増幅される。電力増幅器（PA）２１の入力は、リークイメージ信号を実質的に含んでいないので、電力増幅器（PA）２１の出力は、リークイメージ信号及び相互変調歪成分を実質的に含んでいない。
【００３８】
＜４．第１変形例＞
上述したように、電力増幅器（PA）２１の入力は、リークイメージ信号を実質的に含んでいないはずである。しかしながら、リークイメージ信号の抑制をさらに確実にする観点からは、合波回路２０（３）の出力を実際にモニタすることが考えられる。
【００３９】
図５は、リークイメージ信号が実際に削除されているか否かを確認するため、イメージ検出部２５が、合波回路２０（３）の出力を監視している。すなわち、イメージ検出部２５は、合波回路２０（３）の入力及び出力の双方について、リークイメージ信号を監視している。イメージ制御部２６及び位相・振幅制御部２７は、このリークイメージ信号が相殺されるように、リークイメージ削除用信号の振幅及び位相を調整する。
【００４０】
なお、合波回路２０（３）の入力及び出力の双方を同時に監視することは、必須でない。例えば、移動通信端末の動作開始時には合波回路２０（３）の入力のみを監視して、リークイメージ削除用信号の振幅及び位相を調整し、その後動作が安定した後は、合波回路２０（３）の出力のみを監視して、リークイメージ削除用信号の振幅及び位相を調整してもよい。このような切替を行うことは、動作開始時に粗調整を行い、動作安定後に微調整を行うことに相当する。
【００４１】
＜５．第２変形例＞
直交変調器（１７、１８、１９、２０等）に起因して、送信信号に混入する不要波成分には、上記のリークイメージ信号だけでなく、キャリア信号（ローカル信号発振器１７からのリーク信号）も含まれる。
【００４２】
図６は、リークイメージ信号だけでなく、キャリア信号をも抑制するための変形例を示す。図３及び図５のイメージ検出部２５及びイメージ制御部２６の代わりに、イメージDC検出部２８及びイメージDC制御部２９が使用されている。さらに、図３及び図５を参照しながら説明した要素に加えて、DC用位相・振幅制御部３０が追加されている。イメージDC検出部２８は、リークイメージ信号の電力レベルを検出することに加えて、リークしたキャリア信号（DC）の電力レベルも検出する。イメージDC制御部２９は、リークイメージ削除用信号の振幅及び位相を調整するための制御信号を生成し、位相・振幅制御部２７に送信する。さらにイメージDC制御部２９は、ローカル信号発振器１７から分岐されたリークキャリア削除用信号の振幅・位相を調整するための制御信号を生成し、DC用位相・振幅制御部３０に送信する。リークキャリア削除用信号の振幅及び位相は、リークしたキャリア信号と同一の振幅及び逆相の位相である。DC用位相・振幅制御部３０は、制御信号に応じて、リークキャリア削除用信号の電力レベルおよび位相を調整する。そして、合波回路２０（３）は、合波回路２０から出力信号と、リークイメージ削除用信号と、リークキャリア削除用信号とを合成する。リークイメージ信号とリークイメージ削除用信号は互いに打ち消し合い、リークしたキャリア信号とリークキャリア削除用信号も互いに打ち消し合う。その結果、合波回路２０（３）の出力には送信対象信号しか残らない。
【００４３】
＜６．要約＞
開示される発明によれば、DFTによりサブキャリアを生成した後、サブキャリアマッピング部においてサブキャリアの配置をすると共に、配置したそのサブキャリアと帯域中心から対称な周波数を有するリークイメージ削除用サブキャリアを生成し、それぞれのサブキャリアをIFFT演算により変換し、D／A変換及び直交変調を行うことで、リークイメージ削除用信号を生成する。さらに、直交変調出力信号を観測し、リークイメージ信号の電力を検出し、検出したリークイメージ信号の電力に合わせて、リークイメージ削除用信号の電力を調整する。位相は、直交変調器の出力で逆相となるように調整される。このようなリークイメージ削除用信号が、直交変調器の出力部で合成されることにより、リークイメージ信号を削減することが可能となる。その結果、本機能を実装しない場合に比べ、送信信号及びリークイメージ信号に起因するIM成分を効果的に低減させることが可能となり、他システムへの干渉を低減することが可能となる。また、他システムへの干渉量を規定値以下に抑制できるので、より高い送信電力で送信することが可能となり、サービス領域を拡大することも可能となる。
【００４４】
以上特定の実施例を参照しながら説明されてきたが、それらは単なる例示に過ぎず、当業者は様々な変形例、修正例、代替例、置換例等を理解するであろう。例えば、開示される発明は、周波数リソースをユーザに動的に割り当てる適切な如何なる移動通信システムに適用されてもよい。例えば本発明は、LTE方式のシステム、LTE−Advanced方式のシステム、IMT−Advanced方式のシステム、WiMAX、Wi−Fi方式のシステム等に適用されてもよい。発明の理解を促すため具体的な数値例を用いて説明がなされたが、特に断りのない限り、それらの数値は単なる一例に過ぎず適切な如何なる値が使用されてもよい。実施例又は項目の区分けは開示される発明に本質的ではなく、２以上の項目に記載された事項が必要に応じて組み合わせて使用されてよいし、ある項目に記載された事項が、別の項目に記載された事項に（矛盾しない限り）適用されてよい。説明の便宜上、実施例に係る装置は機能的なブロック図を用いて説明されたが、そのような装置はハードウエアで、ソフトウェアで又はそれらの組み合わせで実現されてもよい。開示される発明は上記実施例に限定されず、本発明の精神から逸脱することなく、様々な変形例、修正例、代替例、置換例等が本発明に包含される。
【符号の説明】
【００４５】
１：ベースバンド信号生成器（BB）、２：直交変調器（Q−mod）、３：無線回路（RF）、４：送受信アンテナ（ANT）、５：直交復調器（Q−demod）、１１：DFT演算部、１２：サブキャリアマッピング部、１３、１３（２）：IFFT演算部、１４、１４（２）：CP付加部、１５、１５（２）：D／A変換器、１６、１６（２）：低域通過フィルタ（LPF）、１７、１７（２）：ローカル信号発振器、１８、１８（２）：位相変換器、１９、１９（２）：ミキサ（MIX）、２０、２０（２）、２０（３）：合波回路、２１：電力増幅器（PA）、２２：送受共用器（DUP）、２３：低雑音増幅器（LNA）、２４：A／D変換器、２５：イメージ検出部（Image  observer）、２６：イメージ制御部（Image  controller）、２７：位相・振幅制御部、２８：イメージDC検出部（Image  DC  observer）、２９：イメージDC制御部（Image  DC  controller）、３０：DC用位相・振幅制御部
【図１】
2011238994.tif 000003
【図２Ａ】
2011238994.tif 000004
【図２Ｂ】
2011238994.tif 000005
【図３】
2011238994.tif 000006
【図４】
2011238994.tif 000007
【図５】
2011238994.tif 000008
【図６】
2011238994.tif 000009